Podtech/llm-jp-corpus-v4-ja_patent huggingface dataset:
【手続補正書】
【提出日】平成19年9月5日(2007.9.5)
【手続補正１】
【補正対象書類名】特許請求の範囲
【補正対象項目名】全文
【補正方法】変更
【補正の内容】
【特許請求の範囲】
【請求項１】
遊技者に視認可能な状態で遊技を実行させる遊技機器と、
遊技を行うための遊技媒体を受入可能な受入口と、
該受入口から受け入れられた遊技媒体を案内する案内通路と、
該案内通路を通る遊技媒体を検出すべく、当該遊技媒体の流れ方向に配置される複数の検出手段と、
前記複数の検出手段が遊技媒体の通過を検出した後に、所定の遊技開始条件成立に基づいて遊技終了条件成立までの間、前記遊技機器を駆動制御する制御手段と、
前記遊技機器による遊技の結果、所定の払出条件成立に基づいて所定数の遊技媒体を遊技者に払出す払出手段と
を備えた遊技機において、
前記遊技機器による遊技開始から終了までの間、及びその終了後の払出手段による払出処理実行中には遊技媒体の受入を不許可とすべく、遊技媒体の受入許可又は不許可を決定する受入決定手段と、
前記受入決定手段が前記遊技媒体の受入許可の決定をした場合に、前記複数の検出手段が前記遊技媒体を検出した検出順序を確認する検出順序確認手段と、
前記検出順序確認手段の確認結果が予め定めた検出順序と異なる場合に、当該結果を異常とみなして異常処理を行う第１異常処理実行手段と、
前記受入決定手段が前記遊技媒体の受入不許可の決定をした場合に、前記複数の検出手段のうち少なくとも１の検出結果を確認する検出結果確認手段と、
前記検出結果確認手段の確認する検出手段が前記遊技媒体の通過を検出した場合、当該結果を異常とみなして異常処理を行う第２異常処理実行手段と
を備えたことを特徴とする遊技機。
【請求項２】
遊技者に視認可能な状態で遊技を実行させる遊技機器と、
遊技を行うための遊技媒体を受入可能な受入口と、
該受入口から受け入れられた遊技媒体を案内する案内通路と、
該案内通路を通る遊技媒体を検出すべく、当該遊技媒体の流れ方向に配置される複数の検出手段と、
前記各検出手段が遊技媒体の通過を検出した後に、所定の遊技開始条件成立に基づいて遊技終了条件成立までの間、前記遊技機器を駆動制御する制御手段と、
前記遊技機器による遊技の結果、所定の払出条件成立に基づいて所定数の遊技媒体を遊技者に払出す等の払出処理を行う払出手段と
を備えた遊技機において、
前記遊技機器による遊技開始から終了までの間、及びその終了後の払出手段による払出処理実行中には遊技媒体の受入を不許可とすべく、遊技媒体の受入許可又は不許可を決定する受入決定手段と、
前記受入決定手段が前記遊技媒体の受入許可の決定をした場合に、前記各検出手段が遊技媒体を検出した検出順序を確認する検出順序確認手段と、
前記検出順序確認手段の確認結果が予め定めた検出順序と異なる場合に、当該結果を異常とみなして異常処理を行う第１異常処理実行手段と、
前記受入決定手段が前記遊技媒体の受入不許可の決定をした場合に、前記各検出手段のうち少なくとも１の検出結果を確認する検出結果確認手段と、
前記検出結果確認手段の確認する検出手段が遊技媒体の通過を検出した場合、当該結果に基づく情報を保持する保持手段と、
前記保持手段が前記情報を保持している場合、当該結果を異常とみなし、前記払出手段による払出処理が終了した後に異常処理を行う第２異常処理実行手段と
を備えたことを特徴とする遊技機。
【請求項３】
前記第１異常処理実行手段は、前記検出順序確認手段の確認結果が予め定めた検出順序と異なる場合、即座に異常処理を実行することを特徴とする請求項２に記載の遊技機。
【請求項４】
前記第２異常処理実行手段は、前記払出手段による払出処理が終了してから前記受入決定手段が遊技媒体の受入許可の決定をするまでの間に異常処理を実行することを特徴とする請求項２又は３に記載の遊技機。
【請求項５】
前記遊技機器における遊技を開始させるべく操作される始動操作手段と、前記遊技機器における遊技を停止させるべく操作される停止操作手段とをさらに備え、
前記制御手段は、前記各検出手段が遊技媒体の通過を検出した後に、前記始動操作手段の操作に基づいて前記駆動制御を開始するとともに、前記停止操作手段の操作に基づいて前記駆動制御を停止する構成であり、
前記各異常処理実行手段は、異常処理として少なくとも前記始動操作手段及び前記停止操作手段の操作又は操作結果を無効化し、前記受入決定手段は、前記各異常処理実行手段のうち少なくとも一方が異常処理を行った場合、遊技媒体の受入不許可の決定をすることを特徴とする請求項２乃至４のいずれか１に記載の遊技機。
【請求項６】
前記検出結果確認手段の確認する検出手段が遊技媒体の通過を検出した場合、少なくとも前記第２異常処理実行手段が異常処理を行う前までに、前記結果を遊技機外部に報知する第２異常発生報知手段を備えたことを特徴とする請求項２乃至５のいずれか１に記載の遊技機。
【請求項７】
前記検出結果確認手段の確認する検出手段が遊技媒体の通過を検出した場合、当該結果を遊技機外部に即座に報知する第２異常発生報知手段を備えたことを特徴とする請求項２乃至５のいずれか１に記載の遊技機。
【請求項８】
前記払出手段による払出処理が終了した際に前記保持手段が前記情報を保持しているか否かを確認する保持結果確認手段を備え、前記第２異常処理実行手段は、前記保持結果確認手段の確認結果に基づいて異常処理を行うことを特徴とする請求項２乃至７のいずれか１に記載の遊技機。
【請求項９】
前記受入口より受け入れられた又は前記払出手段より払出されるべき遊技媒体を仮想的に貯留すべく、当該貯留数を記憶する仮想遊技媒体貯留手段と、当該仮想遊技媒体貯留手段の記憶に基づく貯留数の仮想遊技媒体を現実の遊技媒体として払出させるべく操作される返却操作手段とを備え、前記受入決定手段は、前記返却操作手段の操作に基づいて前記払出手段が遊技媒体の払出を行っている間、前記遊技媒体の受入を不許可とすることを特徴とする請求項２乃至８のいずれか１に記載の遊技機。
【請求項１０】
前記検出結果確認手段は前記各検出手段の全ての検出結果を確認するものであり、前記保持手段は、前記各検出手段のうち何れが遊技媒体の通過を検出した場合であっても、前記情報を保持するものであることを特徴とする請求項２乃至９のいずれか１に記載の遊技機。
【手続補正書】
【提出日】平成19年3月2日(2007.3.2)
【手続補正１】
【補正対象書類名】明細書
【補正対象項目名】００１９
【補正方法】変更
【補正の内容】
【００１９】
すなわち本発明では、Ｘ線管１の焦点ＦがＦ′の位置へ移動したとき、その移動に応じて、その移動方向へコリメータ２を平行移動させることによって、コリメータ２を構成する一対のＸ線遮蔽リーフ２ａ、２ｂを介して被検体Ｐに照射されるＸ線量を同じにしようとするものである。ただし、コリメータ２を平行移動させることにより、被検体Ｐに対するＸ線照射位置がずれることになるので、この場合は、コリメータ２を平行移動させた分だけ、同じ方向へ被検体Ｐを平行移動させてＸ線照射位置を合わせるのが望ましい。またこれは相対的な問題なので、コリメータ２（Ｘ線遮蔽リーフ２ａ、２ｂ）や被検体Ｐを移動させないのであれば、Ｘ線管１の焦点Ｆの移動分だけＸ線管１のみを逆方向へ移動させてもよい。なお、１回のスキャンで複数スライスの画像データを収集する形式のＸ線ＣＴ装置では、Ｘ線管１の焦点Ｆの移動によってスライス位置が変わるだけであれば、コリメータ２を平行移動させた分だけ、同じ方向へ被検体を平行移動させることなく、そのまま別のスライスデータとして利用することができる。
【手続補正書】
【提出日】平成19年1月30日(2007.1.30)
【手続補正１】
【補正対象書類名】特許請求の範囲
【補正対象項目名】全文
【補正方法】変更
【補正の内容】
【特許請求の範囲】
【請求項１】
被検体の回りを回転可能にかつ被検体をはさんで対向して配設されたＸ線源とそのＸ線源から放射され被検体を透過したＸ線量を検出する多数の検出素子からなる検出器と該検出したＸ線量を画像化する画像処理装置とを有するＸ線ＣＴ装置において、上記画像処理装置は、ビュー角毎の各検出素子によって検出される透過Ｘ線量について対数変換された投影データであるローデータの合計値Sumを演算する手段；
各ビュー角毎の演算されたローデータ合計値Sumをビュー角に沿ってスムージングし、スムージングされたローデータ合計値Smoothを求める手段；および
各ビュー角のローデータ合計値Sumがスムージングされたローデータ合計値Smoothとなるよう各ビュー角の各検出素子毎に補正ローデータＲ’を求める手段を含むことを特徴とするＸ線ＣＴ装置。
【請求項２】
上記画像処理装置は、上記各ビュー角の各検出素子毎の補正ローデータを求めるにあたり、各ビュー角毎に検出された透過Ｘ線量に対するノイズ補正定数ｎを求める手段と、このノイズ補正定数ｎで、上記検出された透過Ｘ線量を補正する手段と、上記各ビュー角の各検出素子毎の補正された透過Ｘ線量に基づいて各ビュー角の各検出素子毎に補正ローデータを求める手段とを有することを特徴とする請求項１に記載のＸ線ＣＴ装置。
【請求項３】
上記画像処理装置は、上記各ビュー角の各検出素子毎の補正ローデータを求めるにあたり、検出された透過Ｘ線に対し素子間で共通に定められたノイズ補正定数n0を利用して作成されたローデータとそれに対応するローデータ補正量のマップに基づいて、各ビュー角の各検出素子毎の補正ローデータを求める手段を有することを特徴とする請求項１に記載のＸ線ＣＴ装置。
【手続補正書】
【提出日】平成19年1月9日(2007.1.9)
【手続補正１】
【補正対象書類名】明細書
【補正対象項目名】発明の名称
【補正方法】変更
【補正の内容】
【発明の名称】医用画像表示装置
【手続補正２】
【補正対象書類名】特許請求の範囲
【補正対象項目名】全文
【補正方法】変更
【補正の内容】
【特許請求の範囲】
【請求項１】
医用断層画像撮影装置によって撮影された断層画像に含まれる複数の臓器領域を抽出する手段と、
該抽出された複数の臓器領域についてそれぞれ最大画素値投影画像又は最小画素値投影画像の少なくとも一方の画像を作成する手段と、
該作成された複数の最大画素値投影画像又は最小画素値投影画像の少なくとも一方の画像を該抽出された複数の臓器の位置情報に基づき重ね合わせて重畳画像を生成する手段と、
該生成された重畳画像を表示する手段と
を備えたことを特徴とする医用画像表示装置。
【手続補正書】
【提出日】平成19年3月9日(2007.3.9)
【手続補正１】
【補正対象書類名】特許請求の範囲
【補正対象項目名】全文
【補正方法】変更
【補正の内容】
【特許請求の範囲】
【請求項１】
被検眼を撮影した画像のフレアを検知するフレア検知手段と、該フレア検知手段により検知した前記フレア情報に応じてマスク領域を決定するマスク領域決定手段と、該マスク領域決定手段により決定した前記マスク領域に基づいて、前記画像を処理する画像処理手段とを有することを特徴とする眼科用画像処理装置。
【請求項２】
前記マスク領域決定手段は、前記フレア検知手段によって検知された前記フレアと診断可能な部位との境界を設定する設定手段を有することを特徴とする請求項１に記載の眼科用画像処理装置。
【請求項３】
前記画像処理手段は、前記マスク領域決定手段により決定した前記マスク領域と前記画像とを重ね合わせて合成する画像合成手段を有することを特徴とする請求項１に記載の眼科用画像処理装置。
【請求項４】
前記画像処理手段は、前記マスク領域決定手段により決定した前記マスク領域を黒色の背景画像と重ねて表示し、その他の診断可能な部位を可視化表示することを特徴とする請求項１に記載の眼科用画像処理装置。
【請求項５】
被検眼を撮影した画像のフレアを検知するフレア検知工程と、該フレア検知工程により検知した前記フレア情報に応じてマスク領域を決定するマスク領域決定工程と、該マスク領域決定工程により決定した前記マスク領域に基づいて、前記画像を処理する画像処理工程とを有することを特徴とする眼科用画像処理方法。
【手続補正２】
【補正対象書類名】明細書
【補正対象項目名】００１０
【補正方法】変更
【補正の内容】
【００１０】
上記目的を達成するための本発明に係る眼科用画像処理装置は、被検眼を撮影した画像のフレアを検知するフレア検知手段と、該フレア検知手段により検知した前記フレア情報に応じてマスク領域を決定するマスク領域決定手段と、該マスク領域決定手段により決定した前記マスク領域に基づいて、前記画像を処理する画像処理手段とを有することを特徴とする。
【手続補正３】
【補正対象書類名】明細書
【補正対象項目名】００１１
【補正方法】変更
【補正の内容】
【００１１】
また、本発明に係る眼科用画像処理方法は、被検眼を撮影した画像のフレアを検知するフレア検知工程と、該フレア検知工程により検知した前記フレア情報に応じてマスク領域を決定するマスク領域決定工程と、該マスク領域決定工程により決定した前記マスク領域に基づいて、前記画像を処理する画像処理工程とを有することを特徴とする。
【手続補正書】
【提出日】平成19年3月15日(2007.3.15)
【手続補正１】
【補正対象書類名】特許請求の範囲
【補正対象項目名】全文
【補正方法】変更
【補正の内容】
【特許請求の範囲】
【請求項１】
Ｘ線撮影画像から非Ｘ線照射領域および素抜け領域を除去して第１領域画像を取得する第１取得手段と、
前記第１領域画像に基づいて、該第１領域画像中に初期領域を決定する決定手段と、
領域内の対象画素と、該対象画素に隣接する領域外の画素との画素値の差に基づいて、前記対象画素に隣接する前記領域外の画素の領域内外を判定することにより、前記初期領域を拡大して第２領域を得る領域成長手段と、
前記領域成長手段によって得られた前記第２領域に対応するＸ線撮影画像の第２領域画像を取得する第２取得手段とを備えることを特徴とする画像処理装置。
【請求項２】
前記第２領域画像から特徴量を算出し、該特徴量に基づいて前記Ｘ線撮影画像および前記第１領域画像のうち少なくともいずれか１つの階調変換を実行する変換手段を更に備えることを特徴とする請求項１に記載の画像処理装置。
【請求項３】
前記決定手段は、前記第１領域画像における最大頻度の画素値と、最大画素値とに基づいて前記初期領域に属すべき画素値の範囲を設定することを特徴とする請求項１に記載の画像処理装置。
【請求項４】
前記決定手段は、前記Ｘ線撮影画像における撮影部位に応じて前記初期領域に属すべき画素値の範囲の設定方法を変更することを特徴とする請求項３に記載の画像処理装置。
【請求項５】
前記領域成長手段は、前記対象画素の画素値とこれに隣接する領域外の画素の画素値との差を閾値と比較することにより領域内外判定を行い、該閾値が前記領域外の画素の画素値の関数であることを特徴とする請求項１に記載の画像処理装置。
【請求項６】
前記閾値は、前記第１領域画像の最大画素値と前記領域外の画素の画素値との差の関数であることを特徴とする請求項５に記載の画像処理装置。
【請求項７】
前記領域成長手段は、前記Ｘ線撮影画像における撮影部位に応じて前記閾値の関数を変更することを特徴とする請求項６に記載の画像処理装置。
【請求項８】
前記Ｘ撮影画像から前記撮影部位を検出する検出手段手段を更に備えることを特徴とする請求項４または７に記載の画像処理装置。
【請求項９】
Ｘ線撮影画像を処理する画像処理装置による画像処理方法であって、
第１取得手段が、Ｘ線撮影画像から非Ｘ線照射領域および素抜け領域を除去して第１領域画像を取得する第１取得工程と、
決定手段が、前記第１領域画像に基づいて、該第１領域画像中に初期領域を決定する決定工程と、
領域成長手段が、領域内の対象画素と、該対象画素に隣接する領域外の画素との画素値の差に基づいて、該対象画素に隣接する前記領域外の画素の領域内外を判定することにより、前記初期領域を拡大して第２領域を得る領域成長工程と、
第２取得手段が、前記領域成長工程によって得られた前記第２領域に対応するＸ線撮影画像の第２領域画像を取得する第２取得工程とを備えることを特徴とする画像処理方法。
【請求項１０】
請求項９に記載の画像処理方法をコンピュータに実行させるための制御プログラム。
【請求項１１】
請求項９に記載の画像処理方法をコンピュータに実行させるための制御プログラムを格納したコンピュータ読み取り可能な記憶媒体。
【手続補正２】
【補正対象書類名】明細書
【補正対象項目名】０００９
【補正方法】変更
【補正の内容】
【０００９】
上記の目的を達成するための本発明の一態様による画像処理装置は以下の構成を備える。すなわち、
Ｘ線撮影画像を処理する画像処理装置の制御方法であって、
第１取得手段が、Ｘ線撮影画像から非Ｘ線照射領域および素抜け領域を除去して第１領域画像を取得する第１取得工程と、
決定手段が、前記第１領域画像に基づいて、該第１領域画像中に初期領域を決定する決定工程と、
領域成長手段が、領域内の対象画素と、該対象画素に隣接する領域外の画素との画素値の差に基づいて、該対象画素に隣接する前記領域外の画素の領域内外を判定することにより、前記初期領域を拡大して第２領域を得る領域成長工程と、
第２取得手段が、前記領域成長工程によって得られた前記第２領域に対応するＸ線撮影画像の第２領域画像を取得する第２取得工程とを備える。
【手続補正３】
【補正対象書類名】明細書
【補正対象項目名】００１０
【補正方法】変更
【補正の内容】
【００１０】
また、本発明他の態様による画像処理方法は、
Ｘ線撮影画像を処理する画像処理装置による画像処理方法であって、
第１取得手段が、Ｘ線撮影画像から非Ｘ線照射領域および素抜け領域を除去して第１領域画像を取得する第１取得工程と、
決定手段が、前記第１領域画像に基づいて、該第１領域画像中に初期領域を決定する決定工程と、
領域成長手段が、領域内の対象画素と、該対象画素に隣接する領域外の画素との画素値の差に基づいて、該対象画素に隣接する前記領域外の画素の領域内外を判定することにより、前記初期領域を拡大して第２領域を得る領域成長工程と、
第２取得手段が、前記領域成長工程によって得られた前記第２領域に対応するＸ線撮影画像の第２領域画像を取得する第２取得工程とを備える。
【手続補正書】
【提出日】平成19年3月1日(2007.3.1)
【手続補正１】
【補正対象書類名】特許請求の範囲
【補正対象項目名】全文
【補正方法】変更
【補正の内容】
【特許請求の範囲】
【請求項１】
少なくとも複数の識別画像が変動する表示画像を生成でき、かつ、当該表示画像を所定の表示部において表示できる表示手段と、
特定発生条件が成立した場合には、前記表示部において識別画像が特定態様で確定停止表示されることを必要条件に、遊技者に有利な特別遊技状態を発生させる遊技状態制御手段とを備えた遊技機であって、
前記表示手段と電気的に接続され、遊技者に操作可能なように設けられた操作手段を備え、
前記表示手段は、
前記操作手段が初期状態にある場合には、前記表示部に表示する表示範囲を表示画像の所定の初期基準位置に設定し、
前記操作手段が操作された場合には、当該操作手段の操作量に応じて前記表示範囲を変位させることによって、表示画像を前記表示部においてスクロール表示し、
特定潜伏条件が成立した場合には、前記初期基準位置に設定された前記表示範囲の範囲外において特定画像を潜伏設定するよう構成され、
遊技者が前記操作手段を操作することによって表示画像をスクロール表示させ、前記特定画像の潜伏設定を判別でき、
さらに、前記表示手段は、前記識別画像の変動表示が複数回行われる期間にまたがって前記特定画像を連続して潜伏設定できるよう構成されるとともに、
特定変更条件の成立に基づき、潜伏設定する特定画像の表示態様を変更可能に構成されていることを特徴とする遊技機。
【請求項２】
少なくとも複数の識別画像が変動する表示画像を生成でき、かつ、当該表示画像を所定の表示部において表示できる表示手段と、
特定発生条件が成立した場合には、前記表示部において識別画像が特定態様で確定停止表示されることを必要条件に、遊技者に有利な特別遊技状態を発生させる遊技状態制御手段とを備えた遊技機であって、
前記表示手段と電気的に接続され、遊技者に操作可能なように設けられた操作手段を備え、
前記表示手段は、
少なくとも各種画像の配置位置を定めた画像構成情報を生成する画像構成情報生成手段と、
前記表示部に表示する表示範囲を前記画像構成情報に設定する表示範囲設定手段と、
前記操作手段が操作された場合において、当該操作手段の操作量に応じて前記表示範囲の設定位置を変位させる表示範囲変位手段と、
各種画像データを記憶する画像データ記憶手段と、
前記画像構成情報及び前記画像データに基づいて表示画像を生成する画像生成手段とを備え、
前記表示範囲設定手段は、前記操作手段が初期状態にある場合において前記表示範囲を初期基準位置に設定するよう構成され、
前記画像構成情報生成手段は、特定潜伏条件が成立した場合には、前記初期基準位置に設定された前記表示範囲の範囲外において特定画像の配置位置を設定することで前記特定画像の潜伏設定を行うよう構成され、
遊技者が前記操作手段を操作することによって、前記表示画像の少なくとも一部を前記表示部においてスクロール表示して前記特定画像の潜伏設定を判別でき、
さらに、前記画像構成情報生成手段は、前記識別画像の変動表示が複数回行われる期間にまたがって前記特定画像を連続して潜伏設定できるよう構成されるとともに、
特定変更条件の成立に基づき、潜伏設定する特定画像の表示態様を変更可能に構成されていることを特徴とする遊技機。
【請求項３】
少なくとも複数の識別画像が変動する表示画像を複数のレイヤを重ね合わせることにより生成でき、かつ、当該表示画像を所定の表示部において表示できる表示手段と、
特定発生条件が成立した場合には、前記表示部において識別画像が特定態様で確定停止表示されることを必要条件に、遊技者に有利な特別遊技状態を発生させる遊技状態制御手段とを備えた遊技機であって、
前記表示手段と電気的に接続され、遊技者に操作可能なように設けられた操作手段を備え、
前記表示手段は、
少なくとも各種画像の配置位置を定めた画像構成情報を前記各レイヤに対応して生成する画像構成情報生成手段と、
前記表示部に表示する表示範囲を前記各レイヤに対応する画像構成情報にそれぞれ設定する表示範囲設定手段と、
前記操作手段が操作された場合において、当該操作手段の操作量に応じて、少なくとも特定のレイヤに対応する画像構成情報における前記表示範囲の設定位置を変位可能な表示範囲変位手段と、
各種画像データを記憶する画像データ記憶手段と、
前記各レイヤに対応する画像構成情報及び前記画像データに基づいて表示画像を生成する画像生成手段とを備え、
前記表示範囲設定手段は、前記操作手段が初期状態にある場合において前記特定のレイヤに対応する画像構成情報における表示範囲を初期基準位置に設定するよう構成され、
前記画像構成情報生成手段は、特定潜伏条件が成立した場合には、前記特定のレイヤに対応する画像構成情報において前記初期基準位置に設定された前記表示範囲の範囲外に特定画像の配置位置を設定することで前記特定画像の潜伏設定を行うよう構成され、
遊技者が前記操作手段を操作することによって、前記表示画像の少なくとも一部を前記表示部においてスクロール表示して前記特定画像の潜伏設定を判別でき、
さらに、前記画像構成情報生成手段は、前記識別画像の変動表示が複数回行われる期間にまたがって前記特定画像を連続して潜伏設定できるよう構成されるとともに、
特定変更条件の成立に基づき、潜伏設定する特定画像の表示態様を変更可能に構成されていることを特徴とする遊技機。
【手続補正書】
【提出日】平成19年1月25日(2007.1.25)
【手続補正１】
【補正対象書類名】明細書
【補正対象項目名】００１９
【補正方法】変更
【補正の内容】
【００１９】
また、熱プレス時間は、３０〜１５０秒に設定することが好ましい。３０秒未満では、凹凸模様をくっきり鮮明に形成し、かつ、表面につや消しのための微細凹凸模様を形成するのが困難になり、また、（ａ）表皮材と（ｂ）軟質ポリウレタンフォーム、（ｃ）裏布の一体化の強度が十分に得られなくなる。
【手続補正書】
【提出日】平成19年7月3日(2007.7.3)
【手続補正１】
【補正対象書類名】明細書
【補正対象項目名】特許請求の範囲
【補正方法】変更
【補正の内容】
【特許請求の範囲】
【請求項１】  インクを吐出するための記録ヘッドを記録媒体上で往復走査させて前記記録媒体に記録を行うインクジェット記録装置であって、
前記記録ヘッドにより予備吐出されるインクを受容するための予備吐口と、
前記予備吐口に対する予備吐出を前記記録ヘッドに行わせる予備吐出手段と、
前記記録ヘッドの走査開始位置から走査終了位置へ向かうに従って記録比率が低下するように、前記予備吐出手段による予備吐出が行われた記録ヘッドを走査させながら前記記録媒体に対して前記記録ヘッドにより記録を行う記録手段と、
を備えたことを特徴とするインクジェット記録装置。
【請求項２】  前記記録媒体の記録領域に対応する画像データを前記記録ヘッドの複数回の走査それぞれで記録するための画像データに分割するためのマスクパターンを記憶したメモリを更に備え、
前記記録手段は、前記走査開始位置から走査終了位置へ向かうに従って記録比率が段階的に低下するように設定された前記マスクパターンと前記記録領域に対応する画像データに基づいて記録を行うことを特徴とする請求項１に記載のインクジェット記録装置。
【請求項３】  前記記録手段は、設定された記録パラメータに応じて、使用するマスクパターンを選択することを特徴とする請求項２に記載のインクジェット記録装置。
【請求項４】  前記予備吐出手段は、設定された記録パラメータに応じて、予備吐出の数を変更することを特徴とする請求項１から３のいずれか１項に記載のインクジェット記録装置。
【請求項５】  前記記録パラメータは、前記記録ヘッドの幅、１回の走査に要する時間、記録領域の記録を完成させるのに要する走査の数、使用するインクの特性、及び１回の吐出で吐出されるインク滴の容積の少なくとも１つを含むことを特徴とする請求項３又は４に記載のインクジェット記録装置。
【請求項６】  インクを吐出するための記録ヘッドを記録媒体上で往復走査させて前記記録媒体の記録領域に対して記録を行うインクジェット記録装置であって、
前記記録ヘッドにより予備吐出されるインクを受容するための予備吐口と
前記予備吐口に対する予備吐出を前記記録ヘッドに行わせる予備吐出手段と、
前記予備吐出手段による予備吐出が実行された記録ヘッドを往方向へ走査させながら前記記録媒体に記録を行うにあたり、前記往方向への走査の開始位置から終了位置へ向かうに従って記録比率が段階的に低下するように設定されたマスクパターンと前記記録領域に対応した画像データとに基づいて記録を行う手段と、
前記予備吐出手段による予備吐出が実行された記録ヘッドを復方向へ走査させながら前記記録媒体に記録を行うにあたり、前記復方向への走査の開始位置から終了位置へ向かうに従って記録比率が段階的に低下するように設定されたマスクパターンと前記記録領域に対応した画像データとに基づいて記録を行う手段と、
を有することを特徴とするインクジェット記録装置。
【請求項７】  インクを吐出するための記録ヘッドを記録媒体上で往復走査させて記録を行うインクジェット記録方法であって、
前記記録ヘッドにより予備吐出されるインクを受容するための予備吐口に対して、前記記録ヘッドより予備吐出を行う予備吐出工程と、
前記記録ヘッドの走査開始位置から走査終了位置へ向かうに従って記録比率が低下するように、前記予備吐出工程が実行された記録ヘッドを走査させながら前記記録媒体に対して前記記録ヘッドよりインクを吐出して記録を行う記録工程と、
を備えたことを特徴とするインクジェット記録方法。
【請求項８】  インクを吐出するための記録ヘッドを記録媒体上で往復走査させて前記記録媒体の記録領域に対して記録を行うインクジェット記録方法であって、
前記記録ヘッドにより予備吐出されるインクを受容するための予備吐口に対して、前記記録ヘッドより予備吐出を行う予備吐出工程と、
前記予備吐出工程において予備吐出が実行された記録ヘッドを往方向へ走査させながら前記記録媒体に記録を行うにあたり、前記往方向への走査の開始位置から終了位置へ向かうに従って記録比率が段階的に低下するように設定されたマスクパターンと前記記録領域に対応した画像データとに基づいて記録を行う工程と、
前記予備吐出工程において予備吐出が実行された記録ヘッドを復方向へ走査させながら前記記録媒体に記録を行うにあたり、前記復方向への走査の開始位置から終了位置へ向かうに従って記録比率が段階的に低下するように設定されたマスクパターンと前記記録領域に対応した画像データとに基づいて記録を行う工程と、
を有することを特徴とするインクジェット記録方法。
【手続補正２】
【補正対象書類名】明細書
【補正対象項目名】００１０
【補正方法】変更
【補正の内容】
【００１０】
【課題を解決するための手段】
上記目的を達成するために本発明のインクジェット記録装置は、インクを吐出するための記録ヘッドを記録媒体上で往復走査させて前記記録媒体に記録を行うインクジェット記録装置であって、
前記記録ヘッドにより予備吐出されるインクを受容するための予備吐口と、
前記予備吐口に対する予備吐出を前記記録ヘッドに行わせる予備吐出手段と、
前記記録ヘッドの走査開始位置から走査終了位置へ向かうに従って記録比率が低下するように、前記予備吐出手段による予備吐出が行われた記録ヘッドを走査させながら前記記録媒体に対して前記記録ヘッドにより記録を行う記録手段と、
を備えている。
【手続補正３】
【補正対象書類名】明細書
【補正対象項目名】００１１
【補正方法】変更
【補正の内容】
【００１１】
また、上記目的を達成する本発明のインクジェット記録方法は、インクを吐出するための記録ヘッドを記録媒体上で往復走査させて記録を行うインクジェット記録方法であって、
前記記録ヘッドにより予備吐出されるインクを受容するための予備吐口に対して、前記記録ヘッドより予備吐出を行う予備吐出工程と、
前記記録ヘッドの走査開始位置から走査終了位置へ向かうに従って記録比率が低下するように、前記予備吐出工程が実行された記録ヘッドを走査させながら前記記録媒体に対して前記記録ヘッドよりインクを吐出して記録を行う記録工程と、
を備えている。
【手続補正４】
【補正対象書類名】明細書
【補正対象項目名】００１２
【補正方法】変更
【補正の内容】
【００１２】
すなわち、本発明では、インクを吐出して記録を行うインクジェット記録ヘッドを記録媒体上で双方向に走査して記録を行う際に、記録ヘッドが予備吐出で吐出したインクを受容する予備吐口上で、記録ヘッドに所定数の予備吐出を行わせ、各方向への走査の際に、走査開始位置から走査終了位置へ向かって記録を行う比率が低下するように記録比率を設定する。
【手続補正５】
【補正対象書類名】明細書
【補正対象項目名】００１３
【補正方法】変更
【補正の内容】
【００１３】
このようにすると、予備吐出によって吐出口近傍の濃度が高くなったインクが吐出され、インク濃度は所定の値に近い値となる。更に、走査開始位置から走査終了位置へ向かって記録を行う比率が低下するように記録比率が設定されているので、インク濃度が所定の値に近い状態で記録されるデータ量が増え、濃縮されたインクで記録されるデータが減少する。
【手続補正書】
【提出日】平成19年8月1日(2007.8.1)
【手続補正１】
【補正対象書類名】明細書
【補正対象項目名】特許請求の範囲
【補正方法】変更
【補正の内容】
【特許請求の範囲】
【請求項１】
リードフレームの表面に凹溝を加工するコイニングポンチであって、加工時に前記リードフレームの表面に相対するポンチ先端部を有するポンチ中子部と、加工時に前記リードフレームに凹溝を形成するコイニング加工部を有しそのポンチ軸方向の中空部を有する中空ポンチ本体部とを備えるとともに、前記ポンチ中子部が前記中空ポンチ本体部の中空部に嵌入されてなることを特徴とするリードフレーム加工用コイニングポンチ。
【請求項２】
前記中空ポンチ本体部の前記中空部とポンチ中子部が共にリードフレーム加工用コイニングポンチ先端に向かって細くなる形状に形成されてなる請求項１に記載のリードフレーム加工用コイニングポンチ。
【請求項３】
リードフレームの表面に凹溝を加工するコイニングポンチの製造方法であって、外形がコイニングポンチの製品外形に形成された棒状素材を製造し、この棒状素材の先端面にリードフレームの表面に形成する凹溝の溝幅を残すようにして中心部材と中空部材とに棒状素材の軸方向で切り離し、前記中空部材の軸方向に貫通している中空部に前記中心部材を少なくともその先端面がリードフレームの表面に形成する凹溝の溝深さに相当する長さを設けて挿入されてなることを特徴とするリードフレーム加工用コイニングポンチの製造方法。
【請求項４】
前記中心部材と前記中空部材との切り離しをワイヤ放電加工により行う請求項３に記載のリードフレーム加工用コイニングポンチの製造方法。
【手続補正２】
【補正対象書類名】明細書
【補正対象項目名】０００７
【補正方法】変更
【補正の内容】
【０００７】
本発明は、上記の問題点を解消するためになしたものであって、その目的は、凹溝の溝深さが深く且つ溝幅が狭くなってもその加工で割れることなく耐え得るリードフレーム加工用コイニングポンチ及びその製造方法を提供するものである。
【手続補正３】
【補正対象書類名】明細書
【補正対象項目名】００１１
【補正方法】変更
【補正の内容】
【００１１】
また、上記目的を達成するために、本発明（請求項３）に係るリードフレーム加工用コイニングポンチの製造方法は、リードフレームの表面に凹溝を加工するコイニングポンチの製造方法であって、外形がコイニングポンチの製品外形に形成された棒状素材を製造し、この棒状素材の先端面にリードフレームの表面に形成する凹溝の溝幅を残すようにして中心部材（ポンチ中子部に相当）と中空部材（中空ポンチ本体部に相当）とに棒状素材の軸方向で切り離し、前記中空部材の軸方向に貫通している中空部に前記中心部材を少なくともその先端面がリードフレームの表面に形成する凹溝の溝深さに相当する長さを設けて挿入されてなるものである。
【手続補正４】
【補正対象書類名】明細書
【補正対象項目名】００１３
【補正方法】削除
【補正の内容】
【手続補正５】
【補正対象書類名】明細書
【補正対象項目名】００３０
【補正方法】削除
【補正の内容】
【手続補正書】
【提出日】平成19年10月10日(2007.10.10)
【手続補正１】
【補正対象書類名】特許請求の範囲
【補正対象項目名】請求項１
【補正方法】変更
【補正の内容】
【請求項１】
装置本体から引き出し可能なユニットを有し、前記ユニット内には、１つまたは複数の装置が配置された、着脱自在な枠体を備えるとともに、前記ユニットには、前記装置に電力を供給する端子受部が設けられ、任意の前記装置には、前記端子受部と接続され、前記装置に電力を供給する端子が設けられ、前記枠体を前記ユニットから外した時に、前記端子と前記端子受部との接続が解除されることを特徴とする画像形成装置。
【手続補正２】
【補正対象書類名】明細書
【補正対象項目名】０００８
【補正方法】変更
【補正の内容】
【０００８】
上記課題を解決するために、本発明は、請求項１記載の画像形成装置においては、装置本体から引き出し可能なユニットを有し、前記ユニット内には、１つまたは複数の装置が配置された、着脱自在な枠体を備えるとともに、前記ユニットには、前記装置に電力を供給する端子受部が設けられ、任意の前記装置には、前記端子受部と接続され、前記装置に電力を供給する端子が設けられ、前記枠体を前記ユニットから外した時に、前記端子と前記端子受部との接続が解除されることを特徴とする。
【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
磁性現像剤と、
該磁性現像剤を内部に有する現像容器と、
該現像容器の上部開口部に配置されるとともに、像担持体に近接、又は圧接して配置されて該磁性現像剤を供給する現像剤担持体と、
該現像容器の内部の該磁性現像剤を該現像剤担持体に向けて移動させる攪拌手段と、
該現像容器の内部の該磁性現像剤の補給を検知する補給検知手段とを備え、
該現像剤担持体の下端が、該攪拌手段の回転中心軸よりも上部に位置している現像装置において、
該磁性現像剤の重量平均粒子径が５μｍ〜１２μｍであり、かつ該磁性現像剤の３μｍ以上の粒子において、下記式（１）より求められる円形度ａが０．９００以上の粒子を個数基準の累積値で９０％以上有し、
円形度ａ＝Ｌ0／Ｌ−−−−−−−（１）
〔式、Ｌ0は粒子像と同じ投影面積を持つ円の周囲長を示し、Ｌは粒子像の周囲長を示す。〕
該現像剤担持体は、少なくとも基体及び該基体の表面に樹脂被覆層を有し、該樹脂被覆層の表面の油溜まり深さ（Ｒｖｋ）が２．０μｍ以下、且つ初期磨耗高さ（Ｒｐｋ）が３．０μｍ以下
であることを特徴とする現像装置。
【請求項２】
前記補給検知手段の上端が、前記攪拌手段の回転軸より下側に位置することを特徴とする請求項１に記載の現像装置。
【請求項３】
前記磁性現像剤の前記現像容器の内部での粉体面が、前記現像剤担持体の下端より下にあることを特徴とする請求項１又は２に記載の現像装置。
【手続補正２】
【補正対象書類名】明細書
【補正対象項目名】００２２
【補正方法】変更
【補正の内容】
【００２２】
上記目的を達成するため、本出願に係る第１の発明は、
磁性現像剤と、
該磁性現像剤を内部に有する現像容器と、
該現像容器の上部開口部に配置されるとともに、像担持体に近接、又は圧接して配置されて該磁性現像剤を供給する現像剤担持体と、
該現像容器の内部の該磁性現像剤を該現像剤担持体に向けて移動させる攪拌手段と、
該現像容器の内部の該磁性現像剤の補給を検知する補給検知手段とを備え、
該現像剤担持体の下端が、該攪拌手段の回転中心軸よりも上部に位置している現像装置において、
該磁性現像剤の重量平均粒子径が５μｍ〜１２μｍであり、かつ該磁性現像剤の３μｍ以上の粒子において、下記式（１）より求められる円形度ａが０．９００以上の粒子を個数基準の累積値で９０％以上有し、
円形度ａ＝Ｌ0／Ｌ−−−−−−−（１）
〔式、Ｌ0は粒子像と同じ投影面積を持つ円の周囲長を示し、Ｌは粒子像の周囲長を示す。〕
【手続補正３】
【補正対象書類名】明細書
【補正対象項目名】００２３
【補正方法】変更
【補正の内容】
【００２３】
該現像剤担持体は、少なくとも基体及び該基体の表面に樹脂被覆層を有し、
該樹脂被覆層の表面の油溜まり深さ（Ｒｖｋ）が２．０μｍ以下、且つ初期磨耗高さ（Ｒｐｋ）が３．０μｍ以下である現像装置であることを特徴とする。
【手続補正４】
【補正対象書類名】明細書
【補正対象項目名】００６４
【補正方法】変更
【補正の内容】
【００６４】
円形度ａ＝Ｌ0／Ｌ                  （１）
〔式中、Ｌ0は粒子像と同じ投影面積を持つ円の周囲長を示し、Ｌは粒子像の周囲長を示す。〕
【手続補正書】
【提出日】平成19年9月6日(2007.9.6)
【手続補正１】
【補正対象書類名】特許請求の範囲
【補正対象項目名】全文
【補正方法】変更
【補正の内容】
【特許請求の範囲】
【請求項１】
ポリ乳酸繊維を主体とする繊度が０．５〜１０ｄｔｅｘ、目付が１００〜１０００ｇ／ｍ2、厚みが５〜５０ｍｍの範囲である不織布Ａと、ポリ乳酸繊維を主体とする繊度が０．１〜５ｄｔｅｘ、目付が５０〜５００ｇ／ｍ2、通気度が１０〜３０ｃｃ／ｃｍ2／ｓｅｃの範囲である不織布Ｂとを積層し、不織布Ｂを表側としたことを特徴とする吸音材。
【請求項２】
請求項１に記載の吸音材が、自動車の天井材、ラインカーペット、オプションマット、エンジン部、トランク部、リヤパーセルまたはドアトリムとして用いられていることを特徴とする自動車内装材。
【請求項３】
少なくとも次の工程を経てなる吸音材の製造方法。
Ｉ．不織布Ａの製造工程：ニードルパンチ法またはスパンレース法により、ポリ乳酸繊維を主体とする繊度が０．５〜１０ｄｔｅｘ、目付が１００〜１０００ｇ／ｍ2、厚みが５〜５０ｍｍの範囲である不織布Ａを製造する工程
II．不織布Ｂの製造工程：スパンボンド法、メルトブロー法または、スパンボンドおよびメルトブロー法により、ポリ乳酸繊維を主体とする繊度が０．１〜５ｄｔｅｘ、目付が５０〜５００ｇ／ｍ2、通気度が１０〜３０ｃｃ／ｃｍ2／ｓｅｃの範囲である不織布Ｂを製造する工程
III．積層工程：上記不織布Ａと不織布Ｂのうちの少なくとも片面に、生分解性の接着剤を塗布し、両不織布Ａ、Ｂを接合して積層する工程。
【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
動きを検出する動き検出手段と、
前記動き検出手段の出力信号を電気的に増幅する入力信号増幅回路と、
前記入力信号増幅回路によって増幅されたアナログ信号をデジタル信号に変換するＡ／Ｄ変換手段と、
前記Ａ／Ｄ変換手段が出力したデジタル信号を平均化する平均化手段と、
前記Ａ／Ｄ変換手段の出力と前記平均化手段の出力との差分を算出する演算手段と、
手振れ補正時の第１の補正条件を発生する第１の補正条件発生手段と、
操作時における前記第１の補正条件を制限した第２の補正条件を発生する第２の補正条件発生手段と、
前記第１の補正条件と前記第２の補正条件との出力を切り替える切り替え手段と、
前記Ａ／Ｄ変換手段と前記平均化手段との出力、及び前記切り替え手段による第１または第２の補正条件とに基づき、補正信号を決定する補正信号決定手段と、
前記補正信号を元に動き補正信号を発生する補正信号発生手段と、
パンニング動作を検出する第１のパンニング判定条件の発生手段と、
動き検出量と検出時間とを含む、パンニング動作後の信号の揺り戻しを検出する第２のパンニング判定条件の発生手段と、
前記演算手段の出力、前記第１のパンニング判定条件の発生手段の出力、及び前記第２のパンニング判定条件の発生手段の出力とを元に前記切り替え手段を切り替える切り替え条件判断手段と、
を備えた画像動き補正装置。
【請求項２】
前記補正信号発生手段は、レンズを制御し撮像撮像面に入射する光軸を変化させることで、撮影画像の手振れ成分を補正する動き補正信号を出力する請求項１記載の画像動き補正装置。
【請求項３】
前記補正信号発生手段は、撮像素子の駆動、画像メモリ制御により、撮影画像の出力位置を変化させることで、撮影画像の手振れ成分を補正する動き補正信号を出力する請求項１記載の画像動き補正装置。
【請求項４】
前記第１のパンニング判定条件は、前記演算手段の出力について、同一符号が所定時間、連続することによって、パンニングであることを判別する請求項１記載の画像動き補正装置。
【手続補正２】
【補正対象書類名】明細書
【補正対象項目名】００１４
【補正方法】変更
【補正の内容】
【００１４】
この課題を解決するために本発明は、動きを検出する動き検出手段と、前記動き検出手段の出力信号を電気的に増幅する入力信号増幅回路と、前記入力信号増幅回路によって増幅されたアナログ信号をデジタル信号に変換するＡ／Ｄ変換手段と、前記Ａ／Ｄ変換手段が出力したデジタル信号を平均化する平均化手段と、前記Ａ／Ｄ変換手段の出力と前記平均化手段の出力との差分を算出する演算手段と、手振れ補正時の第１の補正条件を発生する第１の補正条件発生手段と、操作時における前記第１の補正条件を制限した第２の補正条件を発生する第２の補正条件発生手段と、前記第１の補正条件と前記第２の補正条件との出力を切り替える切り替え手段と、前記Ａ／Ｄ変換手段と前記平均化手段との出力、及び前記切り替え手段による第１または第２の補正条件とに基づき、補正信号を決定する補正信号決定手段と、前記補正信号を元に動き補正信号を発生する補正信号発生手段と、パンニング動作を検出する第１のパンニング判定条件の発生手段と、動き検出量と検出時間とを含む、パンニング動作後の信号の揺り戻しを検出する第２のパンニング判定条件の発生手段と、前記演算手段の出力、前記第１のパンニング判定条件の発生手段の出力、及び前記第２のパンニング判定条件の発生手段の出力とを元に前記切り替え手段を切り替える切り替え条件判断手段と、を備えた画像動き補正装置である。
【手続補正３】
【補正対象書類名】明細書
【補正対象項目名】００１７
【補正方法】変更
【補正の内容】
【００１７】
本発明の請求項１に記載の発明は、動きを検出する動き検出手段と、前記動き検出手段の出力信号を電気的に増幅する入力信号増幅回路と、前記入力信号増幅回路によって増幅されたアナログ信号をデジタル信号に変換するＡ／Ｄ変換手段と、前記Ａ／Ｄ変換手段が出力したデジタル信号を平均化する平均化手段と、前記Ａ／Ｄ変換手段の出力と前記平均化手段の出力との差分を算出する演算手段と、手振れ補正時の第１の補正条件を発生する第１の補正条件発生手段と、操作時における前記第１の補正条件を制限した第２の補正条件を発生する第２の補正条件発生手段と、前記第１の補正条件と前記第２の補正条件との出力を切り替える切り替え手段と、前記Ａ／Ｄ変換手段と前記平均化手段との出力、及び前記切り替え手段による第１または第２の補正条件とに基づき、補正信号を決定する補正信号決定手段と、前記補正信号を元に動き補正信号を発生する補正信号発生手段と、パンニング動作を検出する第１のパンニング判定条件の発生手段と、動き検出量と検出時間とを含む、パンニング動作後の信号の揺り戻しを検出する第２のパンニング判定条件の発生手段と、前記演算手段の出力、前記第１のパンニング判定条件の発生手段の出力、及び前記第２のパンニング判定条件の発生手段の出力とを元に前記切り替え手段を切り替える切り替え条件判断手段と、を有し、前記第１のパンニング判定条件と、第２のパンニング判定条件により判定した条件に応じて第１の補正条件と第２の補正条件を切り替え、前記補正信号決定手段の出力を制限するものであり、違和感の無い自然な操作感を持った撮影ができるという作用を有する
【手続補正４】
【補正対象書類名】明細書
【補正対象項目名】００１８
【補正方法】変更
【補正の内容】
【００１８】
また、請求項２に記載の発明において、前記補正信号発生手段は、レンズを制御し撮像撮像面に入射する光軸を変化させることで、撮影画像の手振れ成分を補正する動き補正信号を出力するものである。
【手続補正５】
【補正対象書類名】明細書
【補正対象項目名】００１９
【補正方法】変更
【補正の内容】
【００１９】
また、請求項３に記載の発明において、前記補正信号発生手段は、撮像素子の駆動、画像メモリ制御により、撮影画像の出力位置を変化させることで、撮影画像の手振れ成分を補正する動き補正信号を出力するものである。
【手続補正６】
【補正対象書類名】明細書
【補正対象項目名】００２０
【補正方法】変更
【補正の内容】
【００２０】
また、請求項４に記載の発明において、前記第１のパンニング判定条件は、前記演算手段の出力について、同一符号が所定時間、連続することによって、パンニングであることを判別するものである。
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正書】
【提出日】平成19年9月12日(2007.9.12)
【手続補正１】
【補正対象書類名】特許請求の範囲
【補正対象項目名】全文
【補正方法】変更
【補正の内容】
【特許請求の範囲】
【請求項１】
従来の銀塩フイルム式一眼レフカメラ用レンズ群も装着可能であって、該レンズ群をシステムレンズとして共用可能なデジタル一眼レフカメラと交換レンズからなるカメラシステムにおいて、該交換レンズを装着時、前記デジタル一眼レフカメラに搭載の撮像素子の画面サイズ情報を前記交換レンズに伝達可能な情報伝達手段を設け、且つ、前記交換レンズには該情報伝達手段からの画面サイズ情報を読みとる読みとり手段を設けたことを特徴とするカメラシステム。
【請求項２】
前記情報伝達手段と前記読みとり手段は、前記デジタル一眼レフカメラのマウントの内側に設置する撮像素子の画面サイズに応じた突起量或いは突起位置の関数であり、前記マウントに前記交換レンズを装着する時に該交換レンズ側で前記突起量或いは突起位置を読みとることによって前記デジタル一眼レフカメラの画面サイズ情報を前記交換レンズに伝達可能にしたことを特徴とする請求項１記載のカメラシステム。
【請求項３】
前記情報伝達手段と前記読みとり手段は、前記画面サイズ情報に応じて変換された信号をレンズ搭載時、前記デジタル一眼レフカメラの信号接点端子を通して前記交換レンズ側に伝達可能にしたことを特徴とする請求項１記載のカメラシステム。
【請求項４】
前記交換レンズが前記読みとり手段によって得られた前記画面サイズ情報に基づき変更される焦点距離情報をフィルム画面サイズ３５ｍｍ換算で表示するための表示手段を設けたことを特徴とする請求項２または３記載のカメラシステム。
【請求項５】
前記読みとり手段を有さないレンズに対しては、前記表示手段で警告表示可能にしたことを特徴とする請求項２または３記載のカメラシステム。
【請求項６】
前記交換レンズは、前記デジタル一眼レフカメラからの前記搭載撮像素子の画面サイズ情報に基づいて不必要な光線をカットする遮光手段を設けたことを特徴とする請求項４または５記載のカメラシステム。
【手続補正２】
【補正対象書類名】明細書
【補正対象項目名】発明の名称
【補正方法】変更
【補正の内容】
【発明の名称】カメラシステム
【手続補正３】
【補正対象書類名】明細書
【補正対象項目名】０００１
【補正方法】変更
【補正の内容】
【０００１】
本発明は、レンズ交換式デジタル一眼レフカメラと交換レンズとからなるカメラシステムに関し、特にデジタル一眼レフカメラ搭載の撮像素子に関するデータをレンズ側に伝達するカメラシステムに関する。
【手続補正４】
【補正対象書類名】明細書
【補正対象項目名】００１７
【補正方法】変更
【補正の内容】
【００１７】
撮像素子８に照射される被写体像の光量調節は前記のシャッター９の他に撮影レンズ２の内部において絞り１５が設置されていて絞り駆動モータ１４を駆動することによって絞り１５を開閉して調節するようになっている。撮像素子８には適正に調整された光量の被写体光が照射され撮影されるが、ここで発生した撮像信号は画像処理ＣＰＵ３０で画像処理された信号に変換されて図示していない記憶媒体に記録される。
【手続補正５】
【補正対象書類名】明細書
【補正対象項目名】００２７
【補正方法】変更
【補正の内容】
【００２７】
本発明の実施例としてカメラ本体３における撮像素子８のサイズ情報として情報突起１７のδ量を関数とし、δ＝０をフルサイズとしたが装着する撮影レンズ２が従来の銀塩カメラのレンズ、すなわち読みとり手段を持たないレンズであるならば、カメラ本体３側の検出ピン１７ａに対して撮影レンズ２側から情報ピン１８による接触が得られないため検出スイッチ１６がオフで、レンズ側に情報が伝達不可能と判断され、カメラＣＰＵ２９からドライバー３１を通して警告表示３２に警告信号を表示して、撮影者に警告を与えることができる。
【手続補正書】
【提出日】平成19年9月27日(2007.9.27)
【手続補正１】
【補正対象書類名】特許請求の範囲
【補正対象項目名】請求項９
【補正方法】変更
【補正の内容】
【請求項９】
撮像装置及び前記撮像装置に着脱可能に装着されるレンズ装置を備えた撮像システムにおいて、
前記レンズ装置は、
レンズと、
前記レンズを透過する光の量を絞りにより制御する絞り手段と、
を有し、
前記撮像装置は、
前記レンズ装置を介して入射した被写体の光学像を電気信号に変換する撮像手段と、
前記撮像手段により得られた電気信号に基づいて被写体の明るさに関する情報を前記レンズ装置に出力する輝度出力手段と、
前記絞り手段による絞り量を取得する絞り量取得手段と、
静止画を撮影する指示が入力された場合に、前記絞り量取得手段により取得された絞り量に応じて前記レンズ装置に入射した光を遮断させるタイミングを生成し、前記タイミングを前記レンズ装置に送信する制御手段と、
を有し、
前記レンズ装置は、更に、前記輝度出力手段から入力された被写体の明るさに関する情報に基づいて、前記絞り手段の制御を行う絞り制御手段を有し、
前記絞り制御手段は、前記制御手段から前記タイミングが入力されると、前記レンズに入射した光を前記絞り手段に遮断させることを特徴とする撮像システム。
【手続補正２】
【補正対象書類名】明細書
【補正対象項目名】００１５
【補正方法】変更
【補正の内容】
【００１５】
本願の第５の発明に係る撮像システムは、撮像装置及び前記撮像装置に着脱可能に装着されるレンズ装置を備えた撮像システムにおいて、前記レンズ装置は、レンズと、前記レンズを透過する光の量を絞りにより制御する絞り手段と、を有し、前記撮像装置は、前記レンズ装置を介して入射した被写体の光学像を電気信号に変換する撮像手段と、前記撮像手段により得られた電気信号に基づいて被写体の明るさに関する情報を前記レンズ装置に出力する輝度出力手段と、前記絞り手段による絞り量を取得する絞り量取得手段と、静止画を撮影する指示が入力された場合に、前記絞り量取得手段により取得された絞り量に応じて前記レンズ装置に入射した光を遮断させるタイミングを生成し、前記タイミングを前記レンズ装置に送信する制御手段と、を有し、前記レンズ装置は、更に、前記輝度出力手段から入力された被写体の明るさに関する情報に基づいて、前記絞り手段の制御を行う絞り制御手段を有し、前記絞り制御手段は、前記制御手段から前記タイミングが入力されると、前記レンズに入射した光を前記絞り手段に遮断させることを特徴とする。
【手続補正書】
【提出日】平成19年6月20日(2007.6.20)
【手続補正１】
【補正対象書類名】明細書
【補正対象項目名】００２６
【補正方法】変更
【補正の内容】
【００２６】
また、磁束から電圧への変換効率を向上させたい場合、図３に示すように、信号生成回路１１に容量Ｃを負荷抵抗ＲＬに対して並列に接続して、容量ＣとコイルのインダクタンスＬとの間で共振を発生させてもよい。共振周波数を周波数ｆ（＝２４ＧＨｚ）と実質的に同じ値にしたとき、共振周波数ｆ＝１／｛２π×√（Ｌ×Ｃ）｝より、Ｃは、７．７×１０-16 Ｆと算出できる。このように、周波数ｆを２４ＧＨｚのように高周波数にすればするほど、Ｃの容量値は小さくなるので、容量Ｃは信号生成回路１１に必須の要素ではない。